(57)【要約】【課題】  戸開時間を延長させる操作を容易にしたエレベーターの戸の制御装置を得ること。【解決手段】  エレベーターのかごに設けられた戸の開放を継続させる戸開時間を延長させた戸開延長時間と前記戸開延長時間を許可する許可時間とを設定手段１３からの入力により記憶された記憶手段１４と、前記戸を開放させる指令を与える戸開釦が押されたことを検出すると共に、押された時刻を検知する戸開釦検出手段１２と、前記押された時刻が前記記憶手段１４に記憶された前記許可時間の範囲内か否か判定し、該範囲内でなければ、前記戸開時間に基づいて前記戸の開放指令を発生する通常戸開制御手段と、前記範囲内であれば、前記記憶手段１４に記憶された前記戸開延長時間に基づいて前記戸の開放指令を発生する第１戸開制御手段１５ａとを備えたものである。【選択図】      図１
2007331858.tif 000002
【特許請求の範囲】
【請求項１】
エレベーターのかごに設けられた戸の開放を継続させる戸開時間を延長させた戸開延長時間と前記戸開延長時間を許可する許可時間とを設定手段からの入力により記憶された記憶手段と、
前記戸を開放させる指令を与える戸開釦が押されたことを検出すると共に、押された時刻を検知する戸開釦検出手段と、
前記押された時刻が前記記憶手段に記憶された前記許可時間の範囲内か否か判定し、該範囲内でなければ、前記戸開時間に基づいて前記戸の開放指令を発生する通常戸開制御手段と、
前記範囲内であれば、前記記憶手段に記憶された前記戸開延長時間に基づいて前記戸の開放指令を発生する第１戸開制御手段と、
を備えたことを特徴とするエレベーターの戸の制御装置。
【請求項２】
前記記憶手段は、前記設定手段で入力した閾値と降車時間とを記憶しており、
前記かご内の荷重を検出する荷重検出手段と、
前記戸開延長時間に基づいて前記戸の開放指令が発生されている時間内における前記荷重の変動値を算出する荷重算出手段と、
前記変動値が前記閾値の範囲内か否かを判断すると共に、前記変動値が該範囲内に属する時間の継続時間を計測する演算手段と、
前記継続時間が前記降車時間を越えると、前記かご内の乗客が降車完了と判定する降車判定手段と、
前記降車判定手段で降車完了と判定された場合に、前記戸の閉成指令を発生する戸閉制御手段と、
を備えたことを特徴とする請求項１に記載のエレベーターの戸の制御装置。
【請求項３】
複数の階を前記かごが停止し得るエレベーターの戸の制御装置において、
前記記憶手段は、前記戸開延長時間に基づいて前記戸の開放指令が発生可能な特定階を前記設定手段からの入力により記憶しており、
前記かごが呼びに応答して停止する階と前記特定階と一致するか否か判定する特定階判定手段と、
前記特定階判定手段で一致すると判定された場合に、前記記憶手段に記憶された前記戸開延長時間に基づいて前記戸の開放指令を発生する第２戸開制御手段と、
を備えたことを特徴とする請求項１又は２に記載のエレベーターの戸の制御装置。
【発明の詳細な説明】
【技術分野】
【０００１】
本発明は、エレベーターの戸の制御装置に関するものである。
【背景技術】
【０００２】
従来のエレベーターの戸の制御装置は下記特許文献１に記載のように、かごのかご内操作盤に設けられた釦の操作状態を検知する検知手段と、この検知手段によって、かごのかご内操作盤に設けられた釦のうち、戸開釦と戸閉釦の両方が操作されたことが検知された場合には、エレベーターの戸の戸開時間を延長制御する制御手段とを備えたものである。
【０００３】
また、エレベーターの戸の制御装置に係るかご内操作盤は、戸開延長時の操作手順を示す案内銘板、またはライン表示部を備えたものである。
【０００４】
かかるエレベーターの戸の制御装置によれば、かご内操作盤に設けられている戸開釦と、戸閉釦とを同時に操作するだけで、戸開時間を延長することができ、これによって大がかりな追加工事、そのための費用、工事期間などを必要とすることなく、戸開延長機能を持たないシステムに戸開延長機能を持たせて、システムの機能アップを実現することができる。
【０００５】
また、エレベーターの戸の制御装置に係るかご内操作盤によれば、案内銘板、またはライン表示部など、配線変更などが不要な手段で、乗客に戸開延長手順を知らせ、これによって大がかりな追加工事、そのための費用、工事期間などを必要とすることなく、戸開延長機能の使用方法を知らせて利用することができる。
【特許文献１】特開２００５−２８０９０５号公報
【発明の開示】
【発明が解決しようとする課題】
【０００６】
しかしながら、上記エレベーターの戸の制御装置では、戸開釦と、戸閉釦とを同時に操作しないと戸開時間を延長することができないので煩雑であるという問題がある。しかも、予め使用方法を知っている人しか利用できない。さらに、使用方法を知らない人には、案内銘板、またはライン表示部などで操作手順を伝える必要がある。このため、乗客は戸開延長をするために案内銘板等を見て使用方法を理解してから、同時に戸開釦と戸閉釦との釦の操作を行わなければならなく、乗客の操作が負担になるという課題があった。
【０００７】
本発明は、上記のような課題を解決するためになされたもので、予め定められた時間内にあると、乗客が戸開釦を押すという操作のみで戸開時間を延長することができると共に、無闇に戸開時間を延長することを防止するエレベーターの戸の制御装置を提供することを目的とする。
【課題を解決するための手段】
【０００８】
第１の発明に係るエレベーターの戸の制御装置は、エレベーターのかごに設けられた戸の開放を継続させる戸開時間を延長させた戸開延長時間と前記戸開延長時間を許可する許可時間とを設定手段からの入力により記憶された記憶手段と、前記戸を開放させる指令を与える戸開釦が押されたことを検出すると共に、押された時刻を検知する戸開釦検出手段と、前記押された時刻が前記記憶手段に記憶された前記許可時間の範囲内か否か判定し、該範囲内でなければ、前記戸開時間に基づいて前記戸の開放指令を発生する通常戸開制御手段と、前記範囲内であれば、前記記憶手段に記憶された前記戸開延長時間に基づいて前記戸の開放指令を発生する第１戸開制御手段と、を備えたことを特徴とするものである。
【０００９】
第２の発明に係るエレベーターの戸の制御装置は、閾値と降車時間とを設定手段からの入力により記憶された記憶手段と、かご内の荷重を検出する荷重検出手段と、戸開延長時間に基づいて戸の開放指令が発生されている時間内における前記荷重の変動値を算出する荷重算出手段と、前記変動値が前記閾値の範囲内か否かを判断すると共に、前記変動値が該範囲内に属する時間の継続時間を計測する演算手段と、前記継続時間が前記降車時間を越えると、前記かご内の乗客が降車完了と判定する降車判定手段と、前記降車判定手段で降車完了と判定された場合に、戸の閉成指令を発生する戸閉制御手段と、を備えたことを特徴とするものである。
【００１０】
第３の発明に係るエレベーターの戸の制御装置は、複数の階をかごが停止し得るエレベーターの戸の制御装置において、戸開延長時間に基づいて前記戸の開放指令が発生可能な特定階を前記設定手段からの入力により記憶された記憶手段と、前記かごが呼びに応答して停止する階と前記特定階と一致するか否か判定する特定階判定手段と、前記特定階判定手段で一致すると判定された場合に、前記記憶手段に記憶された前記戸開延長時間に基づいて前記戸の開放指令を発生する第２戸開制御手段と、を備えたことを特徴とするものである。
【発明の効果】
【００１１】
第１の発明によれば、戸の開放を継続させる戸開時間を延長させた戸開延長時間と、該戸開延長時間に基づいて戸の開放を許可する許可時間とを設定手段からの入力により、記憶手段に戸開延長時間と許可時間とが記憶され、かごに設けられている戸開釦が押されると、戸開釦検出手段が戸開釦の押された時刻を検知し、第１戸開制御手段は該押された時刻が許可時間の範囲内にあると判定すると、戸開延長時間に基づいて戸の開放指令を発生させる。一方、通常戸開制御手段は範囲内にないと判定すると、戸開時間に基づいて戸の開放指令を発生させる。これにより、許可時間内あれば、戸開釦が一旦押されてから離されても戸が戸開延長時間に基づいて開放されるので、戸開釦を押すという操作のみで戸の開放を延長することができる。従って、戸開延長特有の釦操作も無く、戸開延長の操作が簡易になるという効果がある。
【００１２】
第２の発明によれば、設定手段からの入力により閾値と降車時間とを記憶手段が記憶し、荷重検出手段がかご内の荷重を検出後、戸開延長時間に基づいて戸の開放指令が発生されていると荷重算出手段が荷重の変動値を求め、演算手段は閾値の範囲内に変動値が属する継続時間を求め、降車判定手段は該継続時間が降車時間を越えると降車完了とみなす判定を行い、戸閉制御手段が降車完了の判定に基づいて戸の閉成指令を発生させる。これにより、戸が戸開延長時間に基づいて開放していても、降車完了とみなして戸を閉成するので、自動的に戸の開放を無闇に延長しないようにできるという効果がある。
【００１３】
第３の発明によれば、戸開延長時間に基づいて戸の開放が発生可能な特定階を設定手段からの入力により、記憶手段に特定階が記憶され、特定階判定手段はかごが呼びに応答して停止する階と特定階とが一致するか否かを判定し、第２戸開制御手段が一致の判定に基づいて戸の開放指令を発生させる。これにより、特定階では、戸が戸開延長時間に基づいて開放するので、特定階以外では、戸の開放を無闇に延長しないようにできるという効果がある。
【発明を実施するための最良の形態】
【００１４】
実施の形態１．
本発明の一実施の形態を図１によって説明する。図１は本発明の一実施の形態を示すエレベーターのシステムの全体構成図である。
図１において、エレベーターのシステムは、戸４を有するかご２と、エレベーターの戸４の制御装置１０とを備えており、戸４の制御装置１０にパラメータ等を入力する設定手段１３を有している。
【００１５】
かご２は、乗客によって操作されるかご内操作盤３と、かご２内の乗客の荷重を検出すると共に、かご２の下に設けられた荷重検出器５と、戸４の開閉動作を成す戸開閉機構７と、戸開閉機構７を動作させる駆動源となるモーター６とを備えている。
【００１６】
かご内操作盤３は、戸４の開放を指令する戸開釦３ａと、戸４の閉成を指令する戸閉釦３ｂと、かご２の行先階の登録指示をする複数の行先釦３ｃとを備えている。
【００１７】
設定手段１３は、戸４の開放を継続させる戸開時間を通常より延長させた戸開延長時間と、戸開延長時間に基づいて戸４の開放を許可する開始時刻と終了時刻とから成る許可時間、かご２内を乗り降りする乗客が移動を完了して、かご２内の荷重が変動しないとみなすための範囲を予め定めた閾値と、荷重の変動が閾値の範囲内に継続して経過する時間を、かご２内の乗客が降車完了とみなすための予め定めた降車時間と、かご２がサービスする複数の階の内から戸開延長時間に基づいて戸４の開放を許可する特定階とを入力する。
【００１８】
制御装置１０は、入力された戸開延長時間、許可時間、閾値、降車時間、特定階とを記憶する記憶手段１４と、戸開釦３ａが押されたことを検出すると、時刻発生手段１１から時刻を入力し、押された時刻を検知する戸開釦検出手段１２と、戸開指令を発生する戸開制御手段１５とを備えている。
【００１９】
戸開制御手段１５は、押された時刻が許可時間の範囲内か否か判定し、範囲内であれば、記憶手段１４から読み出した戸開延長時間に基づいて戸４の開放指令を発生する第１戸開制御手段１５ａと、運転指令によるかご２が呼びに応答して停止する階と特定階とが一致するか否か判定する特定階判定手段２２と、特定階判定手段２２で一致すると判定された場合に、記憶手段１４から読み出した戸開延長時間に基づいて戸４の開放指令を発生する第２戸開制御手段１５ｂと、戸開時間に基づいて戸４の開放指令を発生する通常戸開制御手段１５ｃとを備えている。
【００２０】
制御装置１０は、かご２内の荷重を検出する荷重検出手段１７と、戸開延長時間に基づいて戸の開放指令が発生されている時間内における荷重の変動値を算出する荷重算出手段１８と、変動値が閾値の範囲内か否かを判断すると共に、変動値が閾値の範囲内に継続している時間を求める演算手段１９と、継続時間が降車時間を越えると、かご２内の乗客がかご２内から降車完了とみなす降車判定手段２０と、降車判定手段２０で降車完了と判定された場合に、戸４の閉成指令を発生する戸閉制御手段２１とを備えている。
【００２１】
制御装置１０は、戸開制御手段１５から発生される開放指令と、戸閉制御手段２１から発生される閉成指令に基づいてモーター６を駆動するために出力電圧を与える駆動手段１６とを備えている。
【００２２】
上記のように構成されたエレベーターのシステムを図１乃至図２によって説明する。図２は図１によるエレベーターの戸の制御装置の動作を示すフローチャートである。
まず、例えば監視システム等を適用した設定手段１３により、戸開延長時間、許可時間、閾値、降車時間、特定階とを入力し、記憶手段１４に記憶する。
【００２３】
戸開釦検出手段１２は、乗客により戸開釦３ａが押されたことを検出すると共に(ステップＳ１０１)、押された時刻を検知する。一方、戸開釦３ａが押されたことを検出しない場合は、終了する。
【００２４】
ここで、第１戸開制御手段１５ａは、押された時刻が許可時間の範囲内にあると(ステップＳ１０３)、戸開延長時間に基づいて戸４の開放指令を発生する(ステップＳ１０７)。戸４の開放指令に基づいて駆動手段１６を介してモーター６を駆動し、戸開閉機構７を動作させて戸４を開放する。
【００２５】
さらに、第２戸開制御手段１５ｂは、ステップＳ１０３に続き、特定階判定手段２２により、運転指令からのかご２が呼びに応答して停止する階と特定階とが一致していると(ステップＳ１０５)、戸開延長時間に基づいて戸４の開放指令を発生する(ステップＳ１０７)。同様に、戸４を開放する。
【００２６】
なお、ステップＳ１０３とステップＳ１０５において条件が成立しない場合は、通常戸開制御手段１５ｃが、戸開時間に基づいて戸４の開放指令を発生する(ステップＳ１１３)。同様に、戸４を開放する。
【００２７】
一方、荷重検出手段１７により、荷重検出器５からかご２内の荷重を検出し、荷重算出手段１８で、戸開延長時間に基づいて戸の開放指令が発生されていると、この検出した荷重と前回に検出した荷重との差を変動値として算出する。次に、演算手段１９は、該変動値が閾値の範囲内か否かを判断し、範囲内にあると前回の荷重を検出してから経過した時間を継続時間に加算を行い、範囲内にないと継続時間の初期化をする。次に、降車判定手段２０は、該継続時間が降車時間を越えると、かご２内の乗客がかご２内から降車完了とみなす(ステップＳ１０９)。
【００２８】
ここで、戸閉制御手段２１は、降車判定手段２０で降車完了とみなされると、戸４の閉成指令を発生する(ステップＳ１１１)。戸４の閉成指令に基づいて駆動手段１６を介してモーター６を駆動し、戸開閉機構７を動作させて戸４を閉成する。
【００２９】
上記実施形態によれば、戸開延長時間に基づいて戸の開放を許可する許可時間は、戸開釦３ａを押すという操作のみで戸の開放を延長することができる。
【産業上の利用可能性】
【００３０】
本発明は、エレベーターの戸の開放を延長制御する場合に適用できる。
【図面の簡単な説明】
【００３１】
【図１】本発明の一実施の形態を示すエレベーターのシステムの全体構成図である。
【図２】図１に示すエレベーターの戸の制御装置の動作を示すフローチャートである。
【符号の説明】
【００３２】
２  エレベーターのかご、３  かご内操作盤、３ａ  戸開釦、４  かごの戸、５  荷重検出器、１０  エレベーターの戸の制御装置、１１  時刻発生手段、１２  戸開釦検出手段、１３  設定手段、１４  記憶手段、１５  戸開制御手段、１５ａ  第１戸開制御手段、１５ｂ  第２戸開制御手段、１５ｃ  通常戸開制御手段、  １７  荷重検出手段、  １８  荷重算出手段、  １９  演算手段、  ２０  降車判定手段、  ２１  戸閉制御手段、  ２２  特定階判定手段。
【図１】
2007331858.tif 000003
【図２】
2007331858.tif 000004